(57)【要約】【課題】搬送方向がロール紙を搬送路側に引き出す正方向、または搬送路側に引き出したロール紙を巻き戻す逆方向のどちらであっても、ロール紙の巻き緩みが生じるのを防止できるロール紙搬送ユニットを提供する。【解決手段】ロール状に巻かれたロール紙１０ａが回転可能に装填されるロール紙装填部１０と、ロール紙装填部１０に回転可能に装填されたロール紙１０ａの側面に外周面が当接し、このロール紙１０ａに対して回転力を作用させる向きに回転自在に取り付けたガイドローラ５１、５２と、ロール紙装填部１０に装填されたロール紙１０ａを媒体搬送路３ａ側に引き出す正方向への搬送、および、媒体搬送路３ａ側に引き出したロール紙１０ａをロール紙装填部１０側に巻き戻す逆方向への搬送を制御する搬送制御部３１と、を備え、搬送制御部３１は、ロール紙１０ａの搬送方向に応じて、ガイドローラ５１、５２の回転を制御する。【選択図】図７
2015003819.tif 000002
【特許請求の範囲】
【請求項１】
ロール状に巻かれたロール紙が回転可能に装填されるロール紙装填部と、
前記ロール紙装填部に回転可能に装填された前記ロール紙の側面に外周面が当接し、このロール紙に対して回転力を作用させる向きに回転自在に取り付けたガイドローラと、
前記ロール紙装填部に装填された前記ロール紙を搬送路側に引き出す正方向への搬送、および、前記搬送路側に引き出した前記ロール紙を前記ロール紙装填部側に巻き戻す逆方向への搬送を制御する搬送制御部と、を備え、
前記搬送制御部は、前記ロール紙の搬送方向に応じて、前記ガイドローラの回転を制御する、ロール紙搬送ユニット。
【請求項２】
前記搬送制御部は、前記逆方向への搬送時には、前記ガイドローラを、前記ロール紙装填部に装填されているロール紙に対して、前記搬送路側に引き出された部分を巻き取る方向の回転力が作用する回転方向に駆動する、請求項１に記載のロール紙搬送ユニット。
【請求項３】
前記搬送制御部は、前記正方向への搬送時には、前記ガイドローラを、前記ロール紙装填部に装填されているロール紙に対して、前記搬送路側に引き出す方向の回転力が作用する回転方向に駆動する、請求項１、または２に記載のロール紙搬送ユニット。
【請求項４】
前記ガイドローラは、前記ロール紙装填部に装填されている前記ロール紙の両側面に設けている、請求項１〜３のいずれかに記載のロール紙搬送ユニット。
【請求項５】
前記ガイドローラは、外周面を弾力性を有する樹脂で形成している、請求項１〜４のいずれかに記載のロール紙搬送ユニット。
【発明の詳細な説明】
【技術分野】
【０００１】
この発明は、ロール紙を使用して乗車券やレシート等を発券する発券装置等に用いるロール紙搬送ユニットに関する。
【背景技術】
【０００２】
従来、鉄道の駅等では、ロール紙を用いて、乗車券を発券する発券装置が利用されている。また、店舗等では、ロール紙を用いて、レシートを発券するＰＯＳ端末が利用されている。さらには、家庭等では、画像をロール紙にプリントするファクシミリ装置や印刷装置が利用されている。このように、様々な場所で、ロール紙を使用する装置が利用されている。例えば、乗車券を発券する発券装置は、本体にセットされているロール紙の先端を引き出し、発券する乗車券の長さにカットする。このロール紙は、一方の面に磁気シートが貼付されている。発券装置は、発行駅、発行日時、乗車区間等を含む乗車券情報をカットしたロール紙に磁気データで記録する。また、発券装置は、乗車券情報をカットしたロール紙に印字する。
【０００３】
ロール紙を使用する装置では、ロール紙の巻き緩みが印刷不良や搬送不良等にかかる障害を発生させる要因である。
【０００４】
このロール紙の巻き緩みを防止する技術として、ロール紙側面の一部に巻緩み防止ブロックを接触させ、この巻緩み防止ブロックでロール紙を搬送方向と直交する方向に押圧して付勢することで、ロール紙の搬送停止時に生じるロール紙自体の慣性よる回転を防止する構成が提案されている（特許文献１参照）。また、この特許文献１には、ロール紙の搬送速度に応じて、巻緩み防止ブロックによるロール紙の押圧力を変化させる構成が記載されている。
【０００５】
また、先端に樹脂製の部材を取り付けた板バネを外周面に固定したスプールを、ロール紙の巻芯の内部に挿入することによって、板バネの先端に取り付けた樹脂製の部材が巻芯の内面に押しつけられ、スプールとロール紙との間に回転方向に対する適度なブレーキ力を作用させる構成も提案されている（特許文献２参照）。
【先行技術文献】
【特許文献】
【０００６】
【特許文献１】特開２００１−３４８１４７号公報
【特許文献２】特開平１０−２９７７９９号公報
【発明の概要】
【発明が解決しようとする課題】
【０００７】
しかしながら、上述の特許文献１や、特許文献２に記載されている技術は、搬送方向がロール紙を引き出す方向である場合には、ロール紙の巻き緩みが生じるのを防止できるが、搬送方向がロール紙を巻き戻す方向である場合には、ロール紙の巻き緩みが生じるのを防止できない。具体的には、引き出されたロール紙の搬送速度（巻き戻す方向への搬送速度）に対して、ロール紙の巻き取り速度（ロール紙が巻回されているロール部分の回転速度）が遅く、ロール紙を引っ張った状態で巻き取ることができなかった。
【０００８】
なお、ロール紙を用いる一般的な装置は、印刷不良や搬送不良等にかかる障害を発生したときのリセット動作等で、引き出されているロール紙を巻き戻す方向に搬送する。
【０００９】
この発明の目的は、搬送方向がロール紙を搬送路側に引き出す正方向、または搬送路側に引き出したロール紙を巻き戻す逆方向のどちらであっても、ロール紙の巻き緩みが生じるのを防止できる、ロール紙搬送ユニットを提供することにある。
【課題を解決するための手段】
【００１０】
この発明のロール紙搬送ユニットは、上述の目的を達するために、以下のように構成している。
【００１１】
ロール紙装填部には、ロール状に巻かれたロール紙が回転可能に装填される。また、ガイドローラは、ロール紙装填部に回転可能に装填されたロール紙の側面に外周面が当接し、このロール紙に対して回転力を作用させる向きに回転自在に取り付けている。具体的には、ロール紙装填部に装填されているロール紙のロール部分が回転する回転軸と、ガイドローラが回転する回転軸と、を略直交させている。
【００１２】
搬送制御部は、ロール紙装填部に装填されたロール紙を搬送路側に引き出す正方向への搬送、および、搬送路側に引き出したロール紙を前記ロール紙装填部側に巻き戻す逆方向への搬送を制御する。例えば、搬送制御部は、搬送モータの回転方向を制御することによって、ロール紙の搬送方向（正方向、または逆方向）を制御する。
【００１３】
さらに、搬送制御部は、ロール紙の搬送方向に応じて、ガイドローラの回転を制御する。例えば、搬送制御部は、逆方向への搬送時には、ガイドローラを、ロール紙装填部に装填されているロール紙に対して、搬送路側に引き出された部分を巻き取る方向の回転力が作用する回転方向に駆動する。これにより、ロール紙の逆方向への搬送時には、ガイドローラが、ロール紙が巻回されているロール部分に対して、搬送路側に引き出されているロール紙を巻き取る方向への回転力を与える。したがって、ロール紙の巻き取り速度（ロール紙が巻回されているロール部分の回転速度）が上がり、ロール紙が引っ張った状態で巻き取られるので、ロール紙の巻き緩みが生じるのを防止できる。
【００１４】
また、搬送制御部は、正方向への搬送時には、ガイドローラを、ロール紙装填部に装填されているロール紙に対して、搬送路側に引き出す方向の回転力が作用する回転方向に駆動するのが好ましい。これにより、ロール紙の正方向への搬送時に、ガイドローラによる搬送負荷が抑えられるので、ロール紙の破れ等を防止できる。また、ガイドローラが、ロール紙の搬送停止時に、ロール紙のロール部分が慣性力によって回転するのを抑えるので巻き緩みが生じるのを一層確実に防止できる。
【００１５】
また、ガイドローラは、ロール紙装填部に装填されているロール紙の両側面に設けるのが好ましい。このようにすれば、ロール紙の巻取りにおいて、幅方向における巻きずれが生じるのを防止できる。
【００１６】
また、ガイドローラは、当接位置においてロール紙を傷めないために、外周面を弾力性を有する樹脂で形成するのが好ましい。
【発明の効果】
【００１７】
この発明によれば、搬送方向がロール紙を搬送路側に引き出す正方向、または搬送路側に引き出したロール紙を巻き戻す逆方向のどちらであっても、ロール紙の巻き緩みが生じるのを防止できる。
【図面の簡単な説明】
【００１８】
【図１】発券装置の主要部の構成を示すブロック図である。
【図２】発券装置の内部構成を示す概略図である。
【図３】搬送ユニットの構成を示すブロック図である。
【図４】ロール紙を装填したロール紙装填部の側面図である。
【図５】ロール紙を装填したロール紙装填部の正面図である。
【図６】正方向搬送時における各ローラの回転方向を説明する図である。
【図７】逆方向搬送時における各ローラの回転方向を説明する図である。
【発明を実施するための形態】
【００１９】
以下、この発明の実施形態について説明する。
【００２０】
ここでは、乗車券を発券する発券装置を例にして、この発明の実施形態を説明する。図１は、この発券装置の主要部の構成を示すブロック図である。図２は、この発券装置の内部構成を示す概略図である。
【００２１】
発券装置１は、制御ユニット２と、搬送ユニット３と、磁気データ処理ユニット４と、印字処理ユニット５と、カットユニット６と、操作ユニット７と、表示ユニット８と、を備えている。この発券装置１は、発券する乗車券に対して、乗車券情報を磁気データで記録するとともに、乗車券情報を印字する。
【００２２】
制御ユニット２は、発券装置１本体各部の動作を制御する。
【００２３】
搬送ユニット３は、媒体搬送路３ａに沿って乗車券を搬送する。媒体搬送路３ａは、図２に示すように、ロール紙１０ａを装填するロール紙装填部１０と、装置本体前面の発券口１１とを結んでいる。また、媒体搬送路３ａは、装置本体前面の券挿入口１２につながる分岐路等も有する。ロール紙１０ａは、一方の面（裏面）に磁気シートを貼付したものである。
【００２４】
カットユニット６は、発行する券（乗車券）の長さに応じてロール紙１０ａをカットする。搬送ユニット３は、ロール紙装填部１０に装填されているロール紙１０ａを媒体搬送路３ａ側に引き出す第１の搬送モータ、および、カットユニット６がカットしたロール紙（以下、券と言う場合もある。）を媒体搬送路３ａに沿って搬送する第２の搬送モータの駆動を制御する。
【００２５】
印字処理ユニット５は、媒体搬送路３ａに沿って搬送している券の表面（磁気シートを貼付していない面）に、発行する乗車券に応じた文字や記号等（乗車券情報）を印字する。印字処理ユニット５の印字ヘッド５ａは、例えばサーマルヘッドであり、媒体搬送路３ａに沿って搬送している券の表面に対向する位置に配置している。印字処理ユニット５は、印字を行う際に、印字ヘッド５ａを、搬送ユニット３が媒体搬送路３ａに沿って搬送している券の表面に押圧する。
【００２６】
磁気データ処理ユニット４は、媒体搬送路３ａに沿って搬送している券の裏面に貼付している磁気シートに対して、発行する乗車券に応じた磁気データの記録や、記録されている磁気データの読取を行う。磁気データ処理ユニット４は、媒体搬送路３ａに沿って搬送される券の裏面に対向する位置に２つの磁気ヘッド４ａ、４ｂを配置している。一方が、磁気データの記録に用いる記録用の磁気ヘッド４ａであり、他方が磁気データの読取に用いる読取用の磁気ヘッド４ｂである。磁気データ処理ユニット４は、磁気データを記録する際に、記録用の磁気ヘッド４ａを搬送ユニット３が媒体搬送路３ａに沿って搬送している券の裏面（磁気シート）に押圧する。また、磁気データ処理ユニット４は、磁気データを読み取る際に、読取用の磁気ヘッド４ｂを搬送ユニット３が媒体搬送路３ａに沿って搬送している券の裏面（磁気シート）に押圧する。
【００２７】
操作ユニット７は、発券装置１に対する入力操作を行うキーを有する。表示ユニット８は、装置本体前面に設けた表示器（不図示）における表示を制御する。
【００２８】
また、図２に示すように、装置本体正面には、ロール紙装填部１０に対して、ロール紙１０ａの交換や補充を行う際に開閉する扉２０が設けられている。
【００２９】
なお、この発券装置１は、駅係員が操作する操作端末と接続され、当該操作端末からの指示にしたがって、乗車券を発券する。また、この発券装置１は、乗車券にパンチ孔を開けるパンチ部や、乗車券を回収する回収部等を備えることもある。ここでは、これらの構成について、説明を省略する。
【００３０】
ここで、この発券装置１の発券動作について簡単に説明しておく。
【００３１】
発券装置１は、操作端末から乗車券の発券が指示されると、搬送ユニット３がロール紙１０ａを搬送路側に引き出し、引き出したロール紙１０ａをカットユニット６で発券する乗車券に応じた長さにカットする。搬送ユニット３は、カットユニット６でカットされた乗車券（ロール紙１０ａ）を印字ヘッド５ａ、磁気ヘッド４ａ、４ｂを経由して発券口１１へ搬送する。印字処理ユニット５は、カットユニット６でカットされた乗車券の表面に印字ヘッド５ａを押圧し、乗車券情報にかかる文字や記号を発券する乗車券に印字する。また、磁気データ処理ユニット４は、カットユニット６でカットされた乗車券の裏面に磁気ヘッド４ａを押圧し、乗車券情報を発券する乗車券に磁気データで記録し、その後、乗車券の裏面に磁気ヘッド４ｂを押圧し、この乗車券に記録した磁気データを読み取ることで、磁気データの記録が適正に行えたかどうかを確認する。搬送ユニット３は、印字処理ユニット５が乗車券情報を印字し、磁気データ処理ユニット４が乗車券情報を磁気データで適正に記録した乗車券を発券口１１に放出する。発券装置１は、搬送ユニット３が乗車券を発券口１１に放出すると、今回の乗車券の発券動作を終了する。
【００３２】
なお、搬送ユニット３は、ロール紙１０ａをカットユニット６で発券する乗車券に応じた長さにカットすると、ロール紙装填部１０に装填されているロール紙１０ａを媒体搬送路３ａ側に引き出す第１の搬送モータの駆動を停止することによって、ロール紙１０ａの引き出しを停止する。但し、搬送ユニット３は、カットユニット６がカットしたロール紙については、第２の搬送モータの駆動を停止することなく、媒体搬送路３ａに沿って搬送する。
【００３３】
図３は、搬送ユニットの構成を示すブロック図である。図４は、ロール紙を装填したロール紙装填部の側面図である。図４は、ロール紙を装填したロール紙装填部の正面図である。
【００３４】
搬送ユニット３は、搬送制御部３１と、第１の搬送モータ駆動部３２と、第２の搬送モータ駆動部３３と、を備えている。
【００３５】
搬送制御部３１は、第１の搬送モータ駆動部３２、および第２の搬送モータ駆動部３３を制御する。第１の搬送モータ駆動部３２は、第１の搬送モータ３５の駆動を制御する。この第１の搬送モータ３５は、ロール紙装填部１０に装填されたロール紙１０ａを媒体搬送路３ａ側に引き出す正方向への搬送、および、媒体搬送路３ａ側に引き出したロール紙１０ａをロール紙装填部１０側に巻き戻す逆方向への搬送にかかる駆動力を発生する。また、この例では、第１の搬送モータ３５が、後述するガイドローラ５１、５２を回転させる。第２の搬送モータ駆動部３３は、第２の搬送モータ３６の駆動を制御する。この第２の搬送モータ３６は、カットユニット６がカットしたロール紙を媒体搬送路３ａに沿って搬送するための駆動力を発生する。
【００３６】
ロール紙装填部１０に装填されるロール紙１０ａは、ロール状に巻かれている。ロール紙装填部１０は、装填されたロール紙１０ａのロール部分を回転可能に保持する。すなわち、ロール紙１０ａは、ロール紙装填部１０に回転可能に装填される。ロール紙１０ａのロール部分は、図４における右回り、および左回りに回転可能である。すなわち、ロール紙１０ａのロール部分の回転軸は、図４における紙面に垂直な軸（図５における左右方向の軸）である。
【００３７】
ガイドローラ５１、５２は、ロール紙装填部１０に装填されたロール紙１０ａのロール部分を挟持するように取り付けている。ガイドローラ５１、５２の外周面は、ロール紙装填部１０に装填されたロール紙１０ａのロール部分の側面に当接している。このガイドローラ５２と、ロール紙１０ａのロール部分との当接位置は、ロール紙１０ａのロール部分の外周側である。また、ガイドローラ５１は、ロール紙１０ａのロール部分の回転中心で当接しない長さに規定している。このガイドローラ５１、５２の回転軸は、図４および図５における上下方向に延びる軸である。すなわち、ロール紙１０ａのロール部分の回転軸と、ガイドローラ５１、５２の回転軸と、は略直交している。
【００３８】
また、図４、および図５に示す搬送ローラ１００、１０１の外周面は、ロール紙装填部１０に装填されたロール紙１０ａのロール部分の外周面に当接している。また、ロール紙装填部１０の外側には、図４や図５に示す搬送ローラ１１０が配置されている。第１の搬送モータ３５の駆動力によって、ガイドローラ５１、５２、搬送ローラ１００、１０１、１１０が回転駆動される。
【００３９】
なお、図４、図５では、第１の搬送モータ３５の駆動力によって回転駆動される搬送ローラを全て図示しているわけではない（図４、図５では、第１の搬送モータ３５の駆動力によって回転駆動される搬送ローラの一部を図示している。）。また、第２の搬送モータ３６の駆動力によって回転駆動される搬送ローラについては、その図示を省略している。
【００４０】
また、ガイドローラ５１、５２は、ロール紙１０ａのロール部分の側面の当接位置において、十分な押圧力を得るために、外周面を弾力性を有する樹脂（例えば、ゴム）で形成している。また、ガイドローラ５１、５２は、ロール紙１０ａのロール部分の側面の当接位置において、十分な大きさの摩擦力を作用させるために、外周面を比較的粗く形成している。
【００４１】
搬送ユニット３は、ロール紙装填部１０に装填されたロール紙１０ａを媒体搬送路３ａ側に引き出す正方向への搬送を行うとき、第１の搬送モータ駆動部３２が第１の搬送モータ３５を一方の方向に回転（正回転）させ、ロール紙１０ａを媒体搬送路３ａ側に引き出す。このとき、各搬送ローラ１００、１０１、１１０は、図６に示す方向に回転する。また、ガイドローラ５２は、図６に示す方向に回転し、ロール紙装填部１０に装填されたロール紙１０ａのロール部分に対して、左回りに回転させる（反時計方向に回転させる）回転力を作用させる。
【００４２】
したがって、ロール紙装填部１０に装填されたロール紙１０ａを媒体搬送路３ａ側に引き出す正方向への搬送において、ガイドローラ５１、５２による搬送負荷が抑えられるので、ロール紙１０ａの破れ等を防止できる。
【００４３】
また、正方向の搬送停止時には、搬送ローラ１００、１０１、１１０だけでなく、ガイドローラ５１、５２も回転が停止するので、ロール紙１０ａのロール部分が慣性力によって回転するのをガイドローラ５１、５２で抑えられる。したがって、正方向の搬送停止時に巻き緩みが生じるのを防止できる。
【００４４】
また、搬送ユニット３は、媒体搬送路３ａ側に引き出したロール紙１０ａをロール紙装填部１０側に巻き戻す逆方向への搬送を行うとき、第１の搬送モータ駆動部３２が第１の搬送モータ３５を他方の方向（上述の正方向への搬送時と逆の方向）に回転（逆回転）させ、ロール紙１０ａをロール紙装填部１０側に巻き戻す。このとき、各搬送ローラ１００、１０１、１１０は、図７に示す方向に回転する。また、ガイドローラ５２は、図７に示す方向に回転し、ロール紙装填部１０に装填されたロール紙１０ａのロール部分に対して、右回りに回転させる（時計方向に回転させる）回転力を作用させる。
【００４５】
したがって、ロール紙１０ａをロール紙装填部１０側に巻き戻す逆方向への搬送では、ガイドローラ５１、５２が、ロール紙装填部１０に装填されているロール紙１０ａのロール部分に対して、媒体搬送路３ａ側に引き出されているロール紙１０ａを巻き取る方向への回転力を与える。これにより、ロール紙１０ａのロール部分が十分な回転速度で回転するので、ロール紙１０ａを引っ張った状態で巻き取ることができるので、逆方向の搬送時に巻き緩みが生じるのを防止できる。
【００４６】
また、ガイドローラ５１、５２は、ロール紙装填部１０に装填されたロール紙１０ａのロール部分を挟持するように取り付けているので、ロール紙１０ａの幅方向に対する巻きズレも防止できる。
【００４７】
また、上記の例では、ガイドローラ５１、５２は、ロール紙装填部１０に装填されたロール紙１０ａのロール部分を挟持するように取り付けているとしたが、ロール紙１０ａのロール部分の一方の側面にのみ設けてもよい。
【００４８】
また、一方の側面に設けるガイドローラ５１、５２は、複数であってもよい。
【００４９】
また、正方向に搬送するときには、ガイドローラ５１、５２を回転させない構成としてもよい。すなわち、ガイドローラ５１、５２は、正方向に搬送するときには、ロール紙１０ａのロール部分との当接位置で生じる摩擦力によって回転する（ロール紙１０ａのロール部分の回転に従動して回転する）構成としてもよい。
【００５０】
また、上記の例では、ガイドローラ５１、５２は、搬送ローラ１００、１０１、１１０を回転駆動する第１の搬送モータ３５の駆動力によって回転するとしたが、ガイドローラ５１、５２を回転駆動するモータと、搬送ローラ１００、１０１、１１０を回転駆動するモータと、を異なるモータで構成してもよい。
【００５１】
また、ガイドローラ５１、５２の回転軸は、ロール紙装填部１０に装填されたロール紙１０ａのロール部分の側面側に付勢した構成であってもよい。
【００５２】
また、上記の説明では、この発明にかかるロール紙搬送ユニットを発券装置１に適用した場合を例にして説明したが、ＰＯＳ端末やファクシミリ装置等、ロール紙を使用する他の装置にも利用できる。
【符号の説明】
【００５３】
１…発券装置
３…搬送ユニット
３ａ…媒体搬送路
１０…ロール紙装填部
１０ａ…ロール紙
３１…搬送制御部
３２…第１の搬送モータ駆動部
３３…第２の搬送モータ駆動部
３５…第１の搬送モータ
３６…第２の搬送モータ
１００、１０１、１１０…搬送ローラ
【図１】
2015003819.tif 000003
【図２】
2015003819.tif 000004
【図３】
2015003819.tif 000005
【図４】
2015003819.tif 000006
【図５】
2015003819.tif 000007
【図６】
2015003819.tif 000008
【図７】
2015003819.tif 000009